(57)【特許請求の範囲】
【請求項１】
多数のブロック部材を水平方向に互いに突き合わせてなるブロック列を順次上方に積み重ね、上下のブロック列を、該両ブロック列間にわたって介在し水平方向に延びる金属条材によって連設して外壁部材を形成し、この外壁部材の一対を所要間隔をおいて対向させて、これら一対の外壁部材を間隔保持金物によって連結し、両外壁部材間にコンクリートモルタルを打設してなる建物躯体であって、前記多数のブロック部材の上下面に該上下面の全長にわたって横溝が形成されると共に、該横溝にその横溝の全長にわたって更に条溝が形成され、前記金属条材が、帯板状の縦板条片と、該縦板条片の側面中央から略Ｌ字状に折曲して突出する横板片とを有し、前記縦板条片の上下縁部が上下に対向する両ブロック部材の前記条溝に嵌入されると共に、前記横板片が下側ブロック部材の前記横溝に嵌入され、その横板片に前記間隔保持金物の端部が連結されてなる建物躯体。
【請求項２】
前記横溝の底面にナット部材が埋め込まれており、前記横板片及び前記間隔保持金物の端部を貫通して前記ナット部材にボルトをねじ込むようにしてなる請求項１記載の建物躯体。
【請求項３】
前記多数のブロック部材の左右両側面に該両側面の全長にわたって縦溝が形成され、最下段のブロック列を形成するブロック部材に前記縦溝に連通する排水溝が形成されてなる請求項１または２記載の建物躯体。
【請求項４】
多数のブロック部材を水平方向に互いに突き合わせてブロック列を形成し、このブロック列を順次上方に積み重ね、この積み重ねの際に上下のブロック列間にわたって水平方向に延びる金属条材を介在させて上下のブロック列を連設し、この上下に連設されたブロック列を外壁部材として、この外壁部材の一対を間隔保持金物によって所要間隔をおいて対向保持し、この所要間隔をおいた空間部にコンクリートモルタルを打設してなり、この際、前記多数のブロック部材の上下面に該上下面の全長にわたって横溝が形成されると共に、該横溝にその横溝の全長にわたって更に条溝が形成され、前記金属条材が、帯板状の縦板条片と、該縦板条片の側面中央から略Ｌ字状に折曲して突出する横板片とを有し、前記縦板条片の上下縁部が上下に対向する両ブロック部材の前記条溝に嵌入されると共に、前記横板片が下側ブロック部材の前記横溝に嵌入され、その横板片に前記間隔保持金物の端部が連結されてなる建物躯体の形成方法。
【請求項５】
前記間隔保持金物が前記金属条材に連結されてなる請求項４記載の建物躯体の形成方法。
【発明の詳細な説明】
【０００１】
【発明の属する技術分野】
本発明は、コンクリート打設用型枠を用いることなく形成することができる建物躯体とその形成方法に関する。
【０００２】
【従来の技術】
従来の建物躯体の形成方法の一例を説明すると、図９に示すように、地盤に所定間隔をおいて立設した複数の縦桟１ａと、該各縦桟１ａに連結具１ｂにより上下方向所定間隔をおいて連結した複数の横桟１ｃとにより支持枠１を形成し、その支持枠１を所要間隔をおいて平行に配置し、その各支持枠１に多数の金属または木合板からなる型枠パネル２ａをそれぞれ上下左右に連設することにより、互いに所要間隔をおいて平行にする一対のコンクリート打設用型枠２を組み立てた後、該両型枠２間の間隔を間隔保持金物３により保持した状態で、その両型枠２間にコンクリートモルタル４を打設し、そのコンクリートモルタル４の養生固化後、前記両支持枠１及び両型枠２を解体除去し、固化させたコンクリートモルタル４の表面に塗料を塗布したり、タイルを貼ったりしている。
【０００３】
【発明が解決しようとする課題】
上記従来の形成方法では、コンクリート打設用型枠２の組立及び解体除去に手間と時間とがかかり、工事費が高くつく。また、型枠２が木合板により形成されている場合には、数回使用された後、廃棄処分されており、木材乱獲による自然破壊や廃棄処分に伴う公害の発生などの問題が生じている。
【０００４】
本発明は、上記問題点に鑑み、コンクリート打設用型枠を用いることなく形成することができる建物躯体とその形成方法を提供することを目的としている。
【０００５】
【課題を解決するための手段】
上記目的を達成するための本発明の構成を実施の形態に対応する図面に基づいて説明すると、請求項１記載の建物躯体は、多数のブロック部材６ａを水平方向に互いに突き合わせてなるブロック列６Ａを順次上方に積み重ね、上下のブロック列６Ａを、該両ブロック列６Ａ間にわたって介在し水平方向に延びる金属条材７によって連設して外壁部材６を形成し、この外壁部材６の一対を所要間隔αをおいて対向させて、これら一対の外壁部材６を間隔保持金物８によって連結し、両外壁部材６間にコンクリートモルタル１０を打設してなる構成を採用するものである。
【０００６】
上記構成によれば、一対の外壁部材６と、その両外壁部材６間に打設されたコンクリートモルタル１０とからなり、前記一対の外壁部材６がコンクリート打設用型枠を兼ねているから、従来の金属または木合板からなるコンクリート打設用型枠が不要であって、工期を大幅に短縮することができると共に、工事費を安くすることができる。
【０００７】
また、前記各外壁部材６を構成する複数のブロック列６Ａ間に金属条材７が介在されているから、該金属条材７を基準にして各ブロック列６Ａを構成する多数のブロック部材６ａを水平方向に直線状に整列させることができると共に、その金属条材７により各外壁部材６を補強することができる。
【０００８】
更に、間隔保持金物８によって一対の外壁部材６を連結しているから、その両外壁部材６どうしを正確に平行状態にすることができると共に、間隔保持金物８がコンクリートモルタル１０内に埋め込まれるから、その間隔保持金物８及び前記金属条材７を介して一対の外壁部材６とその間に打設したコンクリートモルタル１０とを強固に一体形成することができる。
【０００９】
更にまた本発明は、前記多数のブロック部材６ａの上下面に該上下面の全長にわたって横溝１２ａ，１２ｂが形成されると共に、該横溝１２ａ，１２ｂにその横溝１２ａ，１２ｂの全長にわたって更に条溝１３ａ，１３ｂが形成され、前記金属条材７が、帯板状の縦板条片７ａと、該縦板条片７ａの側面中央から略Ｌ字状に折曲して突出する横板片７ｂとを有し、前記縦板条片７ａの上下縁部が上下に対向する両ブロック部材６ａの前記条溝１３ａ，１３ｂに嵌入されると共に、前記横板片７ｂが下側ブロック部材６ａの前記横溝１２ａに嵌入され、その横板片７ｂに前記間隔保持金物８の端部が連結されてなる構成を採用するものである。
【００１０】
上記構成によれば、縦板条片７ａの下縁部を下側ブロック部材６ａの上面に形成した条溝１３ａに嵌入させると共に、該縦板条片７ａの上縁部に上側ブロック部材６ａの下面に形成した条溝１３ｂを嵌合させることにより、上下に対向する両ブロック部材６ａを面一状に連設することができる。また、前記縦板条片７ａの側面中央から略Ｌ字状に折曲して突出する横板片７ｂが設けられているから、その横板片７ｂに間隔保持金物８の端部を連結することにより、その間隔保持金物８を介して両外壁部材６の金属条材７どうしを強固に一体連結することができる。
【００１１】
請求項２記載の建物躯体は、請求項１記載の発明において、前記横溝１２ａの底面にナット部材１５が埋め込まれており、前記横板片７ｂ及び前記間隔保持金物８の端部を貫通して前記ナット部材１５にボルト２０をねじ込むようにしてなる構成を採用するものである。
【００１２】
上記構成によれば、ブロック部材６ａの横溝１２ａの底面に埋め込んだナット部材１５に横板片７ｂ及び間隔保持金物８の端部を貫通してボルト２０をねじ込むだけで、ブロック部材６ａ、金属条材７及び間隔保持金物８の三者を一体的に確実に連結することができる。
【００１３】
請求項３記載の建物躯体は、請求項１または２記載の発明において、前記多数のブロック部材６ａの左右両側面に該両側面の全長にわたって縦溝１４ａ，１４ｂが形成され、最下段のブロック列６Ａを形成するブロック部材６ａに前記縦溝１４ａ，１４ｂに連通する排水溝１７が形成されてなる構成を採用するものである。
【００１４】
上記構成によれば、コンクリートモルタル１０の打設時に、ブロック部材６ａの継ぎ目から浸透したコンクリートモルタル１０の水分が横溝１２ａ，１２ｂ及び縦溝１４ａ，１４ｂを通って最下段のブロック部材６ａに形成した排水溝１７から排水されるため、ブロック部材６ａに水圧がかからず、そのブロック部材６ａの強度を確実に保持することができる。また、コンクリートモルタル１０から水分が抜けるため、比較的軟らかいコンクリートモルタル１０を打設した場合でも、砂、砂利及びセメントを充分に密着させた圧密精度の高いコンクリート壁を形成することができる。
【００１５】
請求項４記載の建物躯体の形成方法は、多数のブロック部材６ａを水平方向に互いに突き合わせてブロック列６Ａを形成し、このブロック列６Ａを順次上方に積み重ね、この積み重ねの際に上下のブロック列６Ａ間にわたって水平方向に延びる金属条材７を介在させて上下のブロック列６Ａを連設し、この上下に連設されたブロック列６Ａを外壁部材６として、この外壁部材６の一対を間隔保持金物８によって所要間隔αをおいて対向保持し、この所要間隔αをおいた空間部９にコンクリートモルタル１０を打設してなる構成を採用するものである。
【００１６】
上記構成によれば、金属または木合板からなるコンクリート打設用型枠を用いることなく、一対の外壁部材６でコンクリートモルタル１０をサンドイッチ状に挟んだ三重構造の建物躯体を短期間で効率良く形成することができる。
また同じく請求項４記載の建物躯体の形成方法は、前記多数のブロック部材６ａの上下面に該上下面の全長にわたって横溝１２ａ，１２ｂが形成されると共に、該横溝１２ａ，１２ｂにその横溝１２ａ，１２ｂの全長にわたって更に条溝１３ａ，１３ｂが形成され、前記金属条材７が、帯板状の縦板条片７ａと、該縦板条片７ａの側面中央から略Ｌ字状に折曲して突出する横板片７ｂとを有し、前記縦板条片７ａの上下縁部が上下に対向する両ブロック部材６ａの前記条溝１３ａ，１３ｂに嵌入されると共に、前記横板片７ｂが下側ブロック部材６ａの前記横溝１２ａに嵌入され、その横板片７ｂに前記間隔保持金物８の端部が連結されてなる構成からなるものである。
上記構成によれば、縦板条片７ａの下縁部を下側ブロック部材６ａの上面に形成した条溝１３ａに嵌入させると共に、該縦板条片７ａの上縁部に上側ブロック部材６ａの下面に形成した条溝１３ｂを嵌合させることにより、上下に対向する両ブロック部材６ａを面一状に連設することができる。また、前記縦板条片７ａの側面中央から略Ｌ字状に折曲して突出する横板片７ｂが設けられているから、その横板片７ｂに間隔保持金物８の端部を連結することにより、その間隔保持金物８を介して両外壁部材６の金属条材７どうしを強固に一体連結することができる。
【００１７】
請求項５記載の建物躯体の形成方法は、請求項４記載の発明において、前記間隔保持金物８が前記金属条材７に連結されてなる構成を採用するものである。
【００１８】
上記構成によれば、間隔保持金物８を金属条材７に連結することにより、一対の外壁部材６とその間に打設したコンクリートモルタル１０とを強固に一体形成することができる。
【００１９】
【発明の実施の形態】
以下、本発明の実施の形態を図面に基づいて説明する。図１〜図４は本発明の実施の一形態である建物躯体を示すものであって、多数のブロック部材６ａを水平方向に互いに突き合わせてなるブロック列６Ａを順次上方に積み重ね、上下のブロック列６Ａを、該両ブロック列６Ａ間にわたって介在し水平方向に延びる金属条材７によって連設して外壁部材６を形成し、この外壁部材６の一対を所要間隔αをおいて対向させて、これら一対の外壁部材６を間隔保持金物８によって連結し、両外壁部材６間の空間部９にコンクリートモルタル１０を打設している。
【００２０】
上記構成によれば、一対の外壁部材６がコンクリート打設用型枠を兼ねているから、従来行われていた金属または木合板からなるコンクリート打設用型枠２（図９参照）が不要であって、工期を大幅に短縮することができると共に、工事費を安くすることができる。
【００２１】
また、積み重ねた複数のブロック列６Ａ間に介在させた金属条材７を基準にして該各ブロック列６Ａを構成する多数のブロック部材６ａを水平方向に直線状に整列させることができると共に、その金属条材７により各外壁部材６を補強することができる。
【００２２】
更に、間隔保持金物８により両外壁部材６どうしを正確に平行状態にすることができると共に、その間隔保持金物８がコンクリートモルタル１０内に埋め込まれるから、一対の外壁部材６とその間に打設したコンクリートモルタル１０とを強固に一体形成することができる。
【００２３】
前記ブロック部材６ａは、コンクリートモルタルにより矩形ブロック状に成形されており、図５（ａ）（ｂ）に示すように、その上下面に該上下面の全長にわたって横溝１２ａ，１２ｂが形成されると共に、該横溝１２ａ，１２ｂの中央部にその横溝１２ａ，１２ｂの全長にわたって更に条溝１３ａ，１３ｂが形成され、その左右両側面に該両側面の全長にわたって横断面略Ｖ字状の縦溝１４ａ，１４ｂが形成され、また、前記上面側横溝１２ａの底面中央部にナット部材１５が条溝１３ａより裏面側に寄って埋め込まれ、更に、前記ブロック部材６ａの裏面下端中央部に下面側横溝１２ｂに連通する開口部１６が形成され、しかも、図１に示すように、最下段のブロック列６Ａを形成するブロック部材６ａの両側面下端に表面側から縦溝１４ａ，１４ｂに連通する排水溝１７が形成されている。
【００２４】
前記金属条材７は、図６に示すように、前記横溝１２ａ，１２ｂの深さとほぼ同一厚さｔの鋼板や鉄板などからなる帯板状の縦板条片７ａと、該縦板条片７ａの長手方向に沿ってブロック部材６ａの横幅と同一間隔ｒをおいてその縦板条片７ａの側面中央から略Ｌ字状に折曲して突出する複数の横板片７ｂとを有しており、該各横板片７ｂの中央部に貫通孔１８が貫設されている。
【００２５】
前記間隔保持金物８は、図６に示すように、鋼板や鉄板などで帯板状に形成されており、その両端に貫通孔１９が貫設されている。なお、両端貫通孔１９間の間隔Ｌが異なる複数種類の間隔保持金物８を製作することにより、両外壁部材６間の間隔αを自在に調整することができる。なお間隔保持金物８は、図１に示すように交互にトラス状に配設することにより一種のトラス張り作用を発揮し、両外壁部材６，６の間隔を強固に保持することができる。
【００２６】
上記構成において、図７に示すように、縦板条片７ａの下縁部を下側ブロック部材６ａの上面に形成した条溝１３ａに嵌入させると共に、横板片７ｂを下側ブロック部材６ａの上面側横溝１２ａ内に嵌入させ、間隔保持金物８の端部を横板片７ｂ上に載置し、ボルト２０を間隔保持金物８及び横板片７ｂの貫通孔１９，１８を通ってナット部材１５にねじ込むことにより、ブロック部材６ａ、金属条材７及び間隔保持金物８の三者を一体的に連結し、続いて、前記縦板条片７ａの上縁部に上側ブロック部材６ａの下面に形成した条溝１３ｂを嵌合させることにより、上下に対向する両ブロック部材６ａ，６ａを突き合わせて面一状に連設することができる。
【００２７】
また、コンクリートモルタル１０の打設時に、ブロック部材６ａの継ぎ目から浸透したコンクリートモルタル１０の水分が横溝１２ａ，１２ｂ及び縦溝１４ａ，１４ｂを通って最下段のブロック部材６ａに形成した排水溝１７から排水されるため、ブロック部材６ａに水圧がかからず、そのブロック部材６ａの強度を確実に保持することができる。また、コンクリートモルタル１０から水分が抜けるため、比較的軟らかいコンクリートモルタル１０を打設した場合でも、砂、砂利及びセメントを充分に密着させた圧密精度の高いコンクリート壁を形成することができる。
【００２８】
建物躯体の形成方法を図８に基づいて説明すると、同図（ａ）に示すように、多数のブロック部材６ａを水平方向に互いに突き合わせて形成してブロック列６Ａを形成すると共に、そのブロック列６Ａの一対を所要間隔αをおいて平行に配列し、同図（ｂ）に示すように、縦板条片７ａの下縁部を前記各ブロック列６Ａの条溝１３ａに嵌入させると共に、横板片７ｂを各ブロック列６Ａの横溝１２ａに嵌入させ、同図（ｃ）に示すように、複数の間隔保持金物８を両ブロック列６Ａ間にたすき掛け状に架設し、ボルト２０を間隔保持金物８及び横板片７ｂの貫通孔１９，１８を通ってナット部材１５にねじ込むことにより、間隔保持金物８及び金属条材７を介して両ブロック列６Ａを一体的に連結し、続いて、同図（ｄ）に示すように、前記縦板条片７ａの上縁部に多数のブロック部材６ａの下面側条溝１３ｂを嵌合させることにより、２段目のブロック列６Ａを形成し、以後同様の手順でブロック列６Ａを順次上方に積み重ねて一対の外壁部材６を形成し、その両外壁部材６間の空間部９にコンクリートモルタル１０を充填すればよい。
【００２９】
【発明の効果】
請求項１記載の発明によれば、一対の外壁部材と、その両外壁部材間に打設されたコンクリートモルタルとからなり、前記一対の外壁部材がコンクリート打設用型枠を兼ねているから、従来の金属または木合板からなるコンクリート打設用型枠が不要であって、工期を大幅に短縮することができると共に、工事費を安くすることができる。
【００３０】
また、前記各外壁部材を構成する複数のブロック列間に金属条材が介在されているから、該金属条材を基準にして各ブロック列を構成する多数のブロック部材を水平方向に直線状に整列させることができると共に、その金属条材により各外壁部材を補強することができる。
【００３１】
更に、間隔保持金物によって一対の外壁部材を連結しているから、その両外壁部材どうしを正確に平行状態にすることができると共に、間隔保持金物がコンクリートモルタル内に埋め込まれるから、その間隔保持金物及び前記金属条材を介して一対の外壁部材とその間に打設したコンクリートモルタルとを強固に一体形成することができる。
【００３２】
請求項２記載の建物躯体によれば、縦板条片の下縁部を下側ブロック部材の上面に形成した条溝に嵌入させると共に、該縦板条片の上縁部に上側ブロック部材の下面に形成した条溝を嵌合させることにより、上下に対向する両ブロック部材を面一状に連設することができる。また、前記縦板条片の側面中央から略Ｌ字状に折曲して突出する横板片が設けられているから、その横板片に間隔保持金物の端部を連結することにより、その間隔保持金物を介して両外壁部材の金属条材どうしを強固に一体連結することができる。
【００３３】
請求項３記載の建物躯体によれば、ブロック部材の横溝の底面に埋め込んだナット部材に横板片及び間隔保持金物の端部を貫通してボルトをねじ込むだけで、ブロック部材、金属条材及び間隔保持金物の三者を一体的に確実に連結することができる。
【００３４】
請求項４記載の建物躯体によれば、コンクリートモルタルの打設時に、ブロック部材の継ぎ目から浸透したコンクリートモルタルの水分が横溝及び縦溝を通って最下段のブロック部材に形成した排水溝から排水されるため、ブロック部材に水圧がかからず、そのブロック部材の強度を確実に保持することができる。また、コンクリートモルタルから水分が抜けるため、比較的軟らかいコンクリートモルタルを打設した場合でも、砂、砂利及びセメントを充分に密着させた圧密精度の高いコンクリート壁を形成することができる。
【００３５】
請求項５記載の建物躯体の形成方法によれば、金属または木合板からなるコンクリート打設用型枠を用いることなく、一対の外壁部材でコンクリートモルタルをサンドイッチ状に挟んだ三重構造の建物躯体を短期間で効率良く形成することができる。
【００３６】
請求項６記載の建物躯体の形成方法によれば、間隔保持金物を金属条材に連結することにより、一対の外壁部材とその間に打設したコンクリートモルタルとを強固に一体形成することができる。
【図面の簡単な説明】
【図１】  本発明の実施の一形態である建物躯体の斜視図である。
【図２】  同正面図である。
【図３】  図２のＡ−Ａ矢視図である。
【図４】  図２のＢ−Ｂ矢視図である。
【図５】  （ａ）は同ブロック部材を表面側から見た斜視図、（ｂ）は同ブロック部材を裏面側から見た斜視図である。
【図６】  同金属条材及び間隔保持金物の斜視図である。
【図７】  図２のＣ−Ｃ拡大矢視図である。
【図８】  （ａ）〜（ｄ）は同建物躯体の形成手順を示す斜視図である。
【図９】  従来例を示す斜視図である。
【符号の説明】
６              外壁部材
６Ａ            ブロック列
６ａ            ブロック部材
７              金属条材
７ａ            縦板条片
７ｂ            横板片
８              間隔保持金物
９              空間部
１０            コンクリートモルタル
１２ａ，１２ｂ  横溝
１３ａ，１３ｂ  条溝
１４ａ，１４ｂ  縦溝
１５            ナット部材
１７            排水溝
２０            ボルト
【図１】
0004122093.tif 000002
【図２】
0004122093.tif 000003
【図３】
0004122093.tif 000004
【図４】
0004122093.tif 000005
【図５】
0004122093.tif 000006
【図６】
0004122093.tif 000007
【図７】
0004122093.tif 000008
【図８】
0004122093.tif 000009
【図９】
0004122093.tif 000010